(57)【要約】【課題】  ピッキング作業等が制御装置からの指示通りに正確に行える表示装置を提供することを目的とする。【解決手段】  制御コンピューターによって制御され、前方に向かって物品の収納位置および数量を表示する表示ユニット１であって、前後方向に進退させることで前記制御コンピューターに応答信号を伝達するスイッチ２が設けられた表示ユニット１において、前記スイッチ２を上下方向に挟んで位置する上下一対の突出部６ａ，６ｂが設けられ、前記一対の突出部６ａ，６ｂの前方表面は、前記スイッチ２の前方表面と略面一または該前方表面よりも前方に位置するように構成されていることを解決手段とする。【選択図】  図１
2005121798.tif 000002
【特許請求の範囲】
【請求項１】
制御装置によって制御され、前方に向かって物品の収納位置および数量を表示する表示装置であって、前後方向に進退させることで前記制御装置に応答信号を伝達するスイッチが設けられた表示装置において、
前記スイッチを上下方向に挟んで位置する上下一対の突出部が設けられ、
前記一対の突出部の前方表面は、前記スイッチの前方表面と略面一または該前方表面よりも前方に位置するように構成されていることを特徴とする表示装置。
【請求項２】
制御装置によって制御され、前方に向かって物品の収納位置および数量を表示する表示装置であって、前後方向に進退させることで前記制御装置に応答信号を伝達するスイッチが設けられた表示装置において、
前記スイッチを左右方向に挟んで位置する左右一対の突出部が設けられ、
前記一対の突出部の前方表面は、前記スイッチの前方表面よりも前方に位置するように構成されていることを特徴とする表示装置。
【請求項３】
物品の数量を表示する表示部が設けられ、該表示部は、前記スイッチを構成している請求項１または２に記載の表示装置。
【発明の詳細な説明】
【技術分野】
【０００１】
本発明は、物品の収納位置等を表示する表示装置に関し、詳しくは、物品を保管する倉庫の収納棚等に配線レールを介してスライド自在に取付けられ、物品の収納位置等を表示する表示装置に関する。
【背景技術】
【０００２】
制御コンピューターによって制御されるとともに、物品を保管する倉庫の収納棚等に配線レールを介してスライド自在に取付けられ、物品の収納位置等を表示する表示装置が知られている（例えば、特許文献１参照）。
【０００３】
この表示装置では、図７に示すように、表示装置５１の前面に設けられたランプ２４の点滅によって物品の収納位置の表示が行われ、また、表示装置５１を正面から見てランプ２４に囲まれて位置する表示部２２によって物品の数量が表示され、物品のピッキング（仕分け）作業の効率化が図られている。
【０００４】
この表示装置５１が装着された配線レール４１の基板部には、表示装置５１と、該表示装置５１を制御し、一括管理する制御コンピューターとを電気的に接続する導電線４４が敷設されている。そして、この導電線４４と表示装置５１に設けられた接続端子との電気的な接触により、制御コンピューターと表示装置５１とが電気的に接続され、表示装置５１に該表示装置５１を駆動する駆動電力と、表示部２２の表示状態およびランプ２４の点滅状態を制御する制御信号とが伝達可能な状態となる。
【０００５】
この表示部２２は、物品の数量を表示するとともに、制御コンピューターに応答信号を伝達するスイッチの役割を兼ねている。即ち、図８（ａ）および図８（ｂ）に示すように、表示部２２の前方表面が、表示装置５１の前方左右端部においてランプ２４の前方表面と面一となっている状態で、スイッチはＯＮとなっており、この状態で表示装置５１に通電すると、表示装置５１が駆動され、制御コンピューターから表示装置５１に制御信号が伝達されてランプ２４が点滅し、表示部２２に数値が表示される。この状態から、表示部２２を指で押すと該表示部２２が一時的に後退してスイッチがＯＦＦとなり、表示装置５１への通電が停止されてランプ２４が消灯し、表示部２２から数値の表示が消えるとともに、制御コンピューターに応答信号が伝達される。この後、表示部２２は自動的に前進して元の状態に復帰し、再び通電可能な状態となる。なお、配線レール４１において表示装置５１が装着されていない領域には、配線レール４１を隠蔽するレールカバー４２が取付けられている。また、図９に示すように、表示部２２の裏面には、該表示部２２が電気的に接続された回路基板３３が取付けられており、表示装置５１の背面には、背面板３５が配されている。
【０００６】
前記した制御コンピューターと表示装置５１とを使用して、ピッキング作業を行う場合、制御コンピューターを介して現場倉庫に作業内容を指示すると、表示装置５１のランプ２４が点滅して物品の収納位置が表示されるとともに、該収納位置から取り出すべき物品の数量が表示部２２に表示される。そして、作業者は、ランプ２４の点滅している収納位置から、表示部２２に表示されている数量の物品を取り出し、指示された作業を終了させた後、表示部２２を指で押して制御コンピューターに作業が終了した旨の応答信号を伝達する。
【特許文献１】特開平１０−１７７３５３号公報
【発明の開示】
【発明が解決しようとする課題】
【０００７】
しかしながら、この表示装置５１では、図８（ｂ）および図９に示すように、物品の数量を表示するとともに、制御コンピューターに作業が終了した旨の応答信号を伝達するスイッチを兼ねる表示部２２の前方表面が、表示装置５１の中央部においてランプ２４の前方表面より前方に位置し、これに伴って表示部２２の上下面が露出しているため、ピッキング作業時等に作業者の体の一部や荷物等が接触することで不用意にスイッチが押されてしまい、制御コンピューターに誤った情報が伝えられることがあった。
【０００８】
本発明は、上述した問題に鑑みてなされたものであり、その目的は、ピッキング作業時等に、制御装置に応答信号を伝達するスイッチを構成する表示部に作業者の体の一部や荷物等が不用意に接触する虞がなく、これにより、スイッチの誤操作が防止され、ピッキング作業等が制御装置からの指示通りに正確に行える表示装置を提供することにある。
【課題を解決するための手段】
【０００９】
本発明に係る表示装置は、制御装置によって制御され、前方に向かって物品の収納位置および数量を表示する表示装置であって、前後方向に進退させることで前記制御装置に応答信号を伝達するスイッチが設けられた表示装置において、前記スイッチを上下方向に挟んで位置する上下一対の突出部が設けられ、前記一対の突出部の前方表面は、前記スイッチの前方表面と略面一または該前方表面よりも前方に位置するように構成されていることを特徴とする。
【００１０】
上記構成によれば、表示装置を制御する制御装置に応答信号を伝達するスイッチの上下面が、該スイッチを上下方向に挟んで位置する上下一対の突出部により被われているため、ピッキング作業時等に該スイッチに作業者の体の一部や荷物等が不用意に接触する虞がなくなる。
【００１１】
また、本発明に係る表示装置は、制御装置によって制御され、前方に向かって物品の収納位置および数量を表示する表示装置であって、前後方向に進退させることで前記制御装置に応答信号を伝達するスイッチが設けられた表示装置において、前記スイッチを左右方向に挟んで位置する左右一対の突出部が設けられ、前記一対の突出部の前方表面は、前記スイッチの前方表面よりも前方に位置するように構成されていることを特徴とする。
【００１２】
上記構成によれば、表示装置を制御する制御装置に応答信号を伝達するスイッチの左右側面が、該スイッチを左右方向に挟んで位置する左右一対の突出部により被われ、且つ、前記スイッチの前方表面が、前記一対の突出部の前方表面よりも後方に位置するようになるため、ピッキング作業時等に該スイッチに作業者の体の一部や荷物等が不用意に接触する虞がなくなる。
【００１３】
物品の数量を表示する表示部が設けられ、該表示部は、前記スイッチを構成していることが好ましい。
【００１４】
上記好ましい構成によれば、物品の数量を表示する表示部が、表示装置を制御する制御装置に応答信号を伝達するスイッチを兼ねることから、表示装置にスイッチを設けるスペースが省略でき、表示部が視認性に優れたものとなるとともに、占有面積の大きな表示部をスイッチとして利用できることから、スイッチの操作性も向上する。
【発明の効果】
【００１５】
以上のように、本発明の表示装置によれば、ピッキング作業時等に、制御装置に応答信号を伝達するスイッチに作業者の体の一部や荷物等が不用意に接触する虞がなくなる。この結果、スイッチの誤操作が防止され、ピッキング作業等が制御装置からの指示通りに正確に行えるようになる。
【発明を実施するための最良の形態】
【００１６】
以下、本発明に係る表示装置の一実施形態について図面を参照しながら説明する。図１は、本実施の形態の表示装置（表示ユニット）が配線レールに装着された状態を示す斜視図である。図２（ａ）は、本実施の形態の表示ユニットの正面図であり、図２（ｂ）は、図２（ａ）に示す表示ユニットの平面図（図中破線で図２（ａ）のＢ−Ｂ線における断面を示す）であり、図２（ｃ）は、図２（ａ）に示す表示ユニットの底面図である。また、図３（ａ）は、図２（ａ）に示す表示ユニットの側面図であり、図３（ｂ）は、図２（ａ）のＡ−Ａ線における表示ユニットの断面図である。
【００１７】
本実施の形態の表示ユニットは、物品を保管する倉庫等において、物品のピッキング（仕分け）作業を効率化するために、収納棚等に配線レールを介してスライド自在に取付けられ、物品の収納位置および数量を表示する形態のものである。なお、図１乃至図３（ｂ）に示す表示ユニットにおいては、表示ユニット１の前面に、物品の収納位置を表示するために点滅する左右一対の照光ランプ４，４（左右一対の突出部）と、該照光ランプ４，４に左右方向に挟まれて位置し、物品の数量を表示する表示部２とが設けられている。該照光ランプ４，４は、それぞれ上下の略中央部分を欠いた形状となっており、該欠損領域に、表示部２に表示される数値を修正したり、該表示の内容をキャンセルしたりするための上下一対のファンクションキー５，５が配置されている。
【００１８】
図１を参照して、前記表示ユニット１は配線レール１１に装着されており、この配線レール１１には、その長手方向に沿って基板部１３が設けられている。図１においては、図示を省略するが、基板部１３には、その長手方向に沿って駆動電力および制御信号を伝達する導電ケーブルがそれぞれ２本ずつ、合計４本互いに並行に延設されている。これら導電ケーブルは、それぞれ表示ユニット１を制御し、一括管理する制御コンピューター（制御装置）（図示せず）と電気的に接続されており、これにより、表示ユニット１に該表示ユニット１を駆動する駆動電力と、表示部２の表示状態および照光ランプ４，４の点滅状態を制御する制御信号とが伝達可能な状態となっている。
【００１９】
また、前記基板部１３の上下両縁に一対の係合部１３ａ，１３ｂが相対向して延設されている。そして、該係合部１３ａ，１３ｂは基板部１３を基準として非対称に設けられている。上部に設けられた係合部１３ａは、下部に設けられた係合部１３ｂよりも基板部１３からの高さが高くなるように、且つ装着された表示ユニット１の上面のほぼ半分の面積の領域を覆うように設けられている。なお、基板部１３および係合部１３ａ，１３ｂは、例えばパイプカッターやラチェットカッター等のカッターで切断できるとともに、電気絶縁性に優れ、弾性を有する塩化ビニル樹脂等の合成樹脂材料から形成されている。
【００２０】
また、図２（ａ）乃至図３（ａ）を参照して、前記表示ユニット１の前面は、中心部より左右幅方向に向かってなだらかに傾斜する円弧形状になっており、表示部２および照光ランプ４，４の状態が、表示ユニット１と正対した側からのみならず、斜め前方側や左右側部側からも容易に視認できるようになっている。また、表示部２および照光ランプ４，４を上下方向に挟んで位置するように、それぞれ円弧形状の上下一対の天板３ａおよび地板３ｂ（上下一対の突出部）が、その円弧部分を表示部２の前面形状に沿わせるように配設されており、該天板３ａおよび地板３ｂの後方端部には、それぞれ配線レール１１の係合部１３ａ，１３ｂと係合する一対の被係合部６ａ，６ｂが突設されている。
【００２１】
また、図３（ｂ）を参照して、前記表示部２の裏面には、該表示部２、照光ランプ４，４およびファンクションキー５，５がそれぞれ電気的に接続された回路基板８が取付けられている。更に、表示ユニット１の背面には、背面板７が配されており、該背面板７を通って、一対の接続端子９ａ，９ａと一対の接続端子９ｂ，９ｂとが、それぞれ配線レール１１の４本の導電ケーブル３，…に相対向する位置で回路基板８に電気的に接続されて突設されている。なお、前記天板３ａおよび地板３ｂは、背面板７の上下縁端から前方に突出して設けられており、前記照光ランプ４，４は、背面板７の左右端部から前方に突出して設けられている。
【００２２】
そして、図１を参照して、前記表示ユニット１は、その各接続端子を配線レール１１の各導電ケーブルに電気的に接触させるとともに、該表示ユニット１の被係合部６ａ，６ｂを、それぞれ配線レール１１の係合部１３ａ，１３ｂに係合させることにより（図３（ａ）および図３（ｂ）参照）、配線レール１１の前面にスライド自在且つ着脱可能に装着されている。また、前記表示部２、照光ランプ４，４およびファンクションキー５，５は、前述したように表示ユニット１の前面に整然と配置されているため、視認性に優れ、作業者によって表示内容が認知されやすいようになっている。
【００２３】
本実施の形態において、前記表示部２は、表示ユニット１を制御する制御装置に応答信号を伝達するスイッチの役割を兼ねており、これら図面に示すように照光ランプ４，４の前方表面が、表示部２の前方表面と面一となっている状態で、スイッチはＯＮとなっており、この状態で表示ユニット１に通電すると、表示ユニット１が駆動され、制御コンピューターから表示ユニット１に制御信号が伝達されて照光ランプ４，４が点滅するとともに、表示部２に数値が表示される。この状態から、表示部２を指で押すと該表示部２が一時的に後退してスイッチがＯＦＦとなり、表示ユニット１への通電が停止されて照光ランプ４，４が消灯し、表示部２から数値の表示が消えるとともに、制御コンピューターに応答信号が伝達される。この後、表示部２は自動的に前進して元の状態に復帰し、再び通電可能な状態となる。
【００２４】
この表示部２の上下面は、該表示部２を上下方向に挟んで位置する天板３ａおよび地板３ｂにより被われているため、ピッキング作業時等に該表示部２に作業者の体の一部や荷物等が不用意に接触する虞がなくなる。この結果、スイッチの誤操作が防止され、ピッキング作業等が制御コンピューターからの指示通りに正確に行えるようになる。
【００２５】
また、前述したように、配線レール１１の係合部１３ａは、表示ユニット１の上面に位置する天板３ａのほぼ半分の面積の領域を覆うように設けられているため、表示ユニット１に人体の一部や荷物等が直接当りにくく、表示ユニット１が損傷から保護されている。
【００２６】
上記した構成からなる表示ユニット１を、倉庫等に設置された収納棚に配線レール１１を介して取付ける方法について図４を参照しながら説明する。ここで、図４は、本実施の形態における表示ユニット１と配線レール１１とが収納棚２５に取付けられた状態を示す正面図である。
【００２７】
先ず、予め導電ケーブルを敷設しておいた配線レール１１を、収納棚２５の幅方向の長さにパイプカッターやラチェットカッター等のカッターで切断し、この配線レール１１の基板部１３の裏面を収納棚２５の枠部に当接させてネジ、接着剤、両面粘着テープ等を用いて取付ける。
【００２８】
次に、表示ユニット１を一括管理する制御コンピューターと接続されたエンドキャップ２６を配線レール１１の端部に挿着し、配線レール１１の導電ケーブルと制御コンピューターとを電気的に接続する。
【００２９】
続いて、収納する物品に応じて所定の幅で仕切られた各収納部のほぼ中央部に表示ユニット１が位置するように、表示ユニット１の係合部６ａ，６ｂを配線レール１１の係合部１３ａ，１３ｂ（図１参照）に係合させることにより、表示ユニット１を配線レール１１の前面に取付けるとともに、表示部２の各接続端子を配線レール１１の各導電ケーブルにそれぞれ電気的に接触させ、表示ユニット１と前記した制御コンピューターとを電気的に接続することにより、取付けが完了する。
【００３０】
以上説明したように、本実施の形態によれば、前後方向に進退させることで前記制御装置に応答信号を伝達するスイッチを構成する表示部２の上下面が、該表示部２を上下方向に挟んで位置する天板３ａおよび地板３ｂによって被われているため、ピッキング作業時等に該表示部２に作業者の体の一部や荷物等が不用意に接触する虞がなくなる。この結果、スイッチの誤操作が防止され、ピッキング作業等が制御コンピューターからの指示通りに正確に行えるようになる。
【００３１】
また、物品の数量を表示する表示部２が、表示ユニット１を制御する制御コンピューターに作業が終了した旨の応答信号を伝達するスイッチを兼ねることから、表示ユニット１にスイッチを設けるスペースが省略でき、表示部２が視認性に優れたものとなるとともに、占有面積の大きな表示部２をスイッチとして利用できるため、スイッチの操作性も向上する。
【００３２】
尚、本実施の形態の表示ユニット１では、前方に向かって物品の数量を表示する表示部２が、表示ユニット１を制御する制御装置に応答信号を伝達するスイッチを兼ねるように構成したが、表示部２の視認性およびスイッチの操作性が確保されている限り、表示部２がスイッチを兼ねる必要は必ずしもない。
【００３３】
また、照光ランプ４，４の前方表面が、表示部２の前方表面と面一となっている状態で、スイッチはＯＮとなっており、この状態から、表示部２を指で押すと該表示部２が一時的に後退してスイッチがＯＦＦとなるように構成したが、例えば、図５（ａ）乃至図６（ｂ）に示すように、照光ランプ４，４の前方表面に対して表示部２の前方表面が後方に位置した状態、即ち、照光ランプ４，４の前方表面が、表示部２の前方表面よりも前方に位置した状態で、スイッチがＯＮとなるようにし、この状態から、表示部２を指で押して更に該表示部２を後退させた状態でスイッチがＯＦＦとなるように構成してもよい。
【００３４】
これにより、本実施の形態のように表示部２を上下方向に挟んで位置する上下一対の天板３ａおよび地板３ｂが設けられている場合には、該天板３ａおよび地板３ｂによる表示部２の上下面の被覆の度合いが高まり、ピッキング作業時に表示部２に人体の一部や荷物等が更に当りにくくなり、スイッチの誤操作がより効果的に防止されるようになる。
【００３５】
その一方、このような天板３ａおよび地板３ｂが設けられていない場合においても、表示部２を左右方向に挟んで位置する左右一対の照光ランプ４，４により、表示部２の左右側面が被われ、且つ、表示部２の前方表面が、表示ユニット１の中央部において照光ランプ４，４の前方表面よりも後方に位置するようになるため、ピッキング作業時等に該表示部２に作業者の体の一部や荷物等が不用意に接触する虞がなくなる。
【図面の簡単な説明】
【００３６】
【図１】図１は、本発明に係る表示ユニットが、配線レールに装着された状態を示す斜視図である。
【図２】図２（ａ）は、本発明に係る表示ユニットの正面図であり、図２（ｂ）は、図２（ａ）に示す表示ユニットの平面図（図中破線で図２（ａ）のＢ−Ｂ線における断面を示す）であり、図２（ｃ）は、図２（ａ）に示す表示ユニットの底面図である。
【図３】図３（ａ）は、図２（ａ）に示す表示ユニットの側面図であり、図３（ｂ）は、図２（ａ）のＡ−Ａ線における表示ユニットの断面図である。
【図４】図４は、本発明に係る表示ユニットと配線レールとが収納棚に取付けられた状態を示す正面図である。
【図５】図５（ａ）は、本発明に係る表示ユニットの別の形態を示す正面図であり、図５（ｂ）は、図５（ａ）に示す表示ユニットのＤ−Ｄ線における断面図であり、図５（ｃ）は、図５（ａ）に示す表示ユニットの底面図である。
【図６】図６（ａ）は、図５（ａ）に示す表示ユニットの側面図であり、図６（ｂ）は、図５（ａ）のＣ−Ｃ線における表示ユニットの断面図である。
【図７】図７は、従来例の表示装置と配線レールとが収納棚の前面に取付けられた状態を説明する斜視図である。
【図８】図８（ａ）は、従来例に係る表示ユニットを示す正面図であり、図８（ｂ）は、図８（ａ）に示す表示ユニットの平面図である。
【図９】図９は、図８（ａ）のＥ−Ｅ線における表示ユニットの断面図である。
【符号の説明】
【００３７】
１…表示ユニット（表示装置）、２…表示部、３ａ…天板（突出部）、３ｂ…地板（突出部）、４…照光ランプ（突出部）
【図１】
2005121798.tif 000003
【図２】
2005121798.tif 000004
【図３】
2005121798.tif 000005
【図４】
2005121798.tif 000006
【図５】
2005121798.tif 000007
【図６】
2005121798.tif 000008
【図７】
2005121798.tif 000009
【図８】
2005121798.tif 000010
【図９】
2005121798.tif 000011